(57)【特許請求の範囲】
【請求項１】
締結バンドが挿通されるバンド挿通孔を備えた締結具本体に、上記バンド挿通孔に挿通されてきた締結バンドによって後方に逃がし揺動されかつ抜出し力が加わった締結バンドに係合することによってその締結バンドを抜け止めする係止部材が取り付けられている締結具であって、上記係止部材が上記締結具本体に設けられた孔部に前後方向揺動可能に収容されていると共に、上記締結具本体に、上記係止部材に対向してその係止部材の後方への揺動幅を規制する当り部が備わっている締結具において、
上記係止部材に、上記締結具本体に具備された第１係合部に上方から係止されることによって下動位置が規制され、上記締結具本体に具備された第２係合部に下方から係止されることによって上動位置が規制される被係合部が一体に設けられており、上記第１係合部が上記締結具本体の孔部を前後方向に横切って形成された梁部によって形成され、上記第２係合部が上記締結具本体の孔部を形成している孔壁の下端によって形成され、上記被係合部が、上記係止部材の下端部と、その下端部の左右両側に下向きに突出されている一対の係合片とでなり、係止部材を上記孔部に締結具本体の上方から挿入した後、一対の上記係合片を下拡がり状に屈曲させることによって、係止部材の下端部を上記第１係合部１５に上方から対向させると共に、一対の上記係合片を上記第２係合部に下方から対向させることを特徴とする締結具。
【請求項２】
上記締結具本体に具備された仕切り壁を挟む両側に、上記バンド挿通孔と、上記孔部と、上記第１係合部と、上記第２係合部と、上記係止部材とが対称に配備されている請求項１に記載した締結具。
【発明の詳細な説明】
【０００１】
【発明の属する技術分野】
本発明は、線材やワイヤ、その他の部材を締結バンドで締結する際に、締結バンドを締め付けることに用いられる締結具に関する。
【０００２】
【従来の技術】
特開平５−１１８４７１号公報に従来の締結具やその組立方法についての記述がある。図６に示したように、この締結具は、被締結部材１００に巻き掛けられた締結バンド２００を締結具本体１のバンド挿通孔２に挿通させると、締結具本体１に取り付けられている係止部材３が締結バンド２００により後方に逃がし揺動され、その後、締結バンド２００を引張って被締結部材１００を締め付けると、締結具本体１に取り付けられている係止部材３の先端が締結バンド２００に係合すると共に、その係止部材３が支持面７に支えられてその締結バンド２００を抜け止めするようになっている。また、この締結具において、締結具本体１にはヒンジ４を介して締結具本体１に上下に揺動可能に連結されている可動部５が一体に設けられていて、上記係止部材３は、この可動部５に具備されたスリット状の溝部６に差し込むことによってその可動部５に取り付けられている。
【０００３】
【発明が解決しようとする課題】
しかしながら、上記公報に記載されている従来の締結具では、締結バンド２００を締結具本体１のバンド挿通孔２に挿通させたときに逃がし揺動される係止部材３の後方への揺動幅を規制するための手段が備わっていないことなどにより、締結バンド２００を引張って被締結部材１００を締め付けたときに、その係止部材３の後方への揺動幅が大きくなりすぎてその係止部材３が支持面７から大きく離れてしまうことがあり、そのようになると、締結バンド２００に対する締付力を解除したときに、締結バンド２００に係合している係止部材３の支持面７に当たるまでの戻り揺動幅が大きくなり、その結果、締結バンド２００がバンド挿通孔２からの抜出し方向に比較的大きく戻り移動して所定の締付力が得られなくなる。このような締付け不足が起こることを回避するためには、締結バンド２００を２度締めすることにより、１回目の締付けによって起こる締付け不足を２回目の締付けによって解消するという方法を行うことが有効であるけれども、そのような２度締め操作を行うことは煩わしいだけでなく、場合によっては２度締めすることを忘れてしまって締付け不足がそのまま放置されるような事態も起こり得る。
【０００４】
また、上記公報に記載されている従来の締結具では、締結具本体１が小さいために可動部５がさらに小さいにもかかわらず、その可動部５の溝部６に係止部材３を差し込んで取り付けてあるため、締結具本体１に係止部材３を組み付ける作業が非常に困難な作業になる。
【０００５】
本発明は以上の状況の下でなされたものであり、締結具本体に係止部材を組み付ける作業を容易に行うことのできる締結具を提供することを目的としている。
【０００６】
また、本発明は、締結バンドを締付け回数が１回だけで済み、２度締めしなくても締付不足を生じることのない締結具を提供することを目的とする。
【０００７】
【課題を解決するための手段】
本発明に係る締結具は、締結バンドが挿通されるバンド挿通孔を備えた締結具本体に、上記バンド挿通孔に挿通されてきた締結バンドによって後方に逃がし揺動されかつ抜出し力が加わった締結バンドに係合することによってその締結バンドを抜け止めする係止部材が取り付けられている。
【０００８】
そして、上記係止部材が上記締結具本体に設けられた孔部に前後方向揺動可能に収容されていると共に、その係止部材に、上記締結具本体に具備された上向き係合面に係止されることによって下動位置が規制され、上記締結具本体に具備された下向き係合面に係止されることによって上動位置が規制される被係合部が一体に設けられている。ここで、上記被係合部は、上記上向き係合面に対向している上記係止部材の下端部と、その下端部の左右両側に具備されて下拡がり状に折曲形成された一対の係合片とでなることが望ましい。
【０００９】
この構成であると、組立に際して、図６で説明した従来の締結具のように係止部材を小さな可動部５の溝部６に差し込む必要がなく（図６参照）、係止部材の被係合部を締結具本体の上向き係合面と下向き係合面との間に配備するだけで済む。
【００１０】
本発明に係る締結具は、上記締結具本体に具備された仕切り壁を挟む両側に、上記バンド挿通孔と、上記孔部と、上記上向き係合面と、上記下向き係合面と、上記係止部材とが対称に配備されていることが望ましい。これによると、被締結部材に巻き掛けられた締結バンドの両端部を別々にバンド挿通孔に挿通させて各別の係止部材によって抜け止めすることが可能になる。
【００１１】
本発明に係る締結具において、上記上向き係合面が上記締結具本体の孔部を前後方向に横切って形成された梁部の上面によって形成され、上記下向き係合面が上記締結具本体の孔部を形成している孔壁の下面によって形成されていることが望ましい。これによると、梁部や上向き及び下向きの各係合面を備えた締結具本体を合成樹脂で容易かつ安価に成形することが可能になる。
【００１２】
本発明に係る締結具では、上記締結具本体に、上記係止部材に対向してその係止部材の後方への揺動幅を規制する当り部が備わっていることが望ましい。
【００１３】
これによると、締結バンドを締結具本体のバンド挿通孔に挿通させたときに逃がし揺動される係止部材の後方への揺動幅を、上記当り部によって適正に規制させることが可能になるので、１回目の締付けによって起こる締付け不足を２回目の締付けによって解消するという煩わしい方法を行うことなく、１回だけの締付けによって締付け不足を生じることなく被締結部材を締め付けておくことが可能になると共に、締付け不足が放置されることも防止される。
【００１４】
本発明に係る締結具の組立方法は、締結バンドが挿通されるバンド挿通孔とバンド挿通孔に挿通されてきた締結バンドによって後方に逃がし揺動されかつ抜出し力が加わった締結バンドに係合することによってその締結バンドを抜け止めする係止部材が収容される孔部とを備えた締結具本体に、上記係止部材を組み付ける締結具の組立方法であって、係止部材を上記孔部に締結具本体の上方から挿入した後、その係止部材の下端部の左右両側に下向きに突出されている一対の係合片を下拡がり状に屈曲させることによって、上記係止部材の下端部を上記締結具本体の孔部を前後方向に横切って形成されている梁部の上面に対向させると共に、一対の上記係合片を上記締結具本体の孔部を形成している孔壁の下面に対向させる、というものである。
【００１５】
この方法であると、係止部材を締結具本体の溝部に上方から挿入した後、その係止部材の一対の係合片を屈曲させるだけで締結具本体に係止部材を取り付けることが可能になるので、従来のように係止部材を小さな可動部５の溝部６に差し込む（図６参照）という困難な作業を行う必要がない。
【００１６】
【発明の実施の形態】
図１は本発明の実施形態に係る締結具Ａの平面図、図２は図１のＩＩ−ＩＩ線に沿う概略断面図、図３は図２のＩＩＩ−ＩＩＩ線に沿う部分の概略拡大断面図である。また、図４は係止部材３０の斜視図、図５は使用状態を示した断面図である。
【００１７】
図１〜図３において、１０はアセタール樹脂などの高硬度樹脂成形体でなる締結具本体であり、その側面視形状は鞍形に形成されている。この締結具本体１０には、その前後方向中央部に設けられた仕切り壁１１を挟む両側に上下に貫通するバンド挿通孔１２，１２が備わり、それらの各バンド挿通孔１２，１２のそれぞれの外側に孔部１３，１３が備わっている。また、それぞれの孔部１３の下部に、その孔部１３を前後方向に横切って形成された梁部１４が備わっている。また、梁部１４の左右両側には、図３のように上記孔部１３を形成している孔壁の下端が位置している。
【００１８】
締結具本体１０の上記孔部１３に非鉄合金、たとえば銅合金でなる係止部材３０が収容されている。図４のように、係止部材３０は、その下端部３１の左右両側に具備された一対の脚状の係合片３２，３２を一体に有していると共に、その先端部には、左右の係止爪３３，３３と平坦面３４とが備わっている。そして、図３のように、係止部材３０の下端３１が締結具本体１０の梁部１４によって形成されている第１係合部１５に上方から対向しているのに対し、係止部材３０の下端部３１の左右両側の一対の係合片３２，３２が下拡がり状に折曲されて、締結具本体１０の梁部１４の左右両側に位置する上記孔壁の下端によって形成された第２係合部１６，１６に下方から対向している。
【００１９】
締結具本体１０に組み付けられた係止部材３０は、図１及び図２のようにその先端部の左右の係止爪３３，３３が上記バンド挿通孔１２，１２の内方に突き出しており、しかも、その係止部材３０が締結具本体１０の孔部１３内で前後方向Ａに揺動可能である。また、係止部材３０の左右方向Ｂでのぐらつきが、孔部１３の左右の孔壁面１７，１７によって抑制されるようになっている。さらに、係止部材３０の上下方向Ｃでのぐらつきは、図３で説明した係止部材３０の下端３１と左右の係合片３２，３２とが、梁部１４によって形成された第１係合部１５と孔壁の下端によって形成された第２係合部１６とにより挾まれることによって抑制されている。図３では理解を容易にするために、係止部材３０の下端３１と第１係合部１５との間に隙間Ｓを表示してあるけれども、この隙間Ｓをなくして係止部材３０の上下方向Ｃでのがたつきを無くしておいてもよい。ただし、係止部材３０が孔部１３内で前後に揺動し得るようになっていることは不可欠である。
【００２０】
以上説明した締結具Ｆにおいて、バンド挿通孔１２と、孔部１３と、第１係合部１５と、第２係合部１６とは、締結具本体１０の前後方向Ａの中央部に具備された仕切り壁１１を挟む両側に対称に配備されている。
【００２１】
次に作用を説明する。
【００２２】
被締結部材１００に巻き掛けた締結バンド２００の一端部２１０を片側のバンド挿通孔１２に挿通すると、そのバンド挿通孔１２に対応している片側の係止部材３０の先端部の係止爪３３が締結バンド２００の一端部２１０の表面に乗り上がってこの係止部材３０が後方に逃がし揺動される。同様に、締結バンド２００の他端部２２０を他側のバンド挿通孔１２に挿通すると、そのバンド挿通孔１２に対応している他側の係止部材３０の先端部の係止爪３３が締結バンド２００の他端部２２０の表面に乗り上がってこの係止部材３０が後方に逃がし揺動される。こうして、各バンド挿通孔１２，１２に締結バンド２００の一端部２１０と他端部２２０とを各別に挿通させた後、締結バンド２００の一端部２１０又は他端部２２０の少なくとも一方をバンド挿通孔１２，１２からさらに引き出すという作業を行って締結バンド２００で被締結部材１００を締め付け、その締付け後に人為的な締付け力を解除すると、締付けの反力によって締結バンド２００の一端部２１０と他端部２２０とに抜出し力が加わるので、係止部材３０，３０の各係止爪３３，３３が図示のように締結バンド２００の一端部２１０と他端部２２０とに喰い込んで締結バンドをその位置で抜け止めする。
【００２３】
この場合、締結バンド２００の一端部２１０や他端部２２０を締結具本体１０のバンド挿通孔１２，１２に挿通させたときに逃がし揺動される係止部材３の後方への揺動幅を規制するための手段が備わっていないと、締結バンド２００の一端部２１０や他端部２２０を引張って被締結部材１００を締め付けたときに、係止部材３０，３０の後方への揺動幅が大きくなりすぎ、そのために、人為的な締付け力を解除したときの係止部材３０の前方への戻り揺動幅が大きくなりすぎて所定の締付力が得られなくなるという事態が起こり得る。そこで、この締結具Ｆでは、図２のように、締結具本体１０に、係止部材３０，３０に対向して係止部材３０，３０の後方への揺動幅を規制する当り部１８，１８を具備させてある。そして、その当り部１８，１８に係止部材３０，３０が当たることによって、係止部材３０，３０の後方への揺動幅がいたずらに大きくなることを阻止し得るようにしてある。このため、締結バンド２００の一端部２１０や他端部２２０を引張って被締結部材１００を締め付けたときに、係止部材３０，３０の後方への揺動幅が適正幅に抑えられるので、１回だけの締付けによっても締付け不足のない締付け状態が得られる。
【００２４】
上記した締結具Ｆにおいて、係止部材３０を締結具本体１０に組み付ける作業は、たとえば次の手順で行うことができる。すなわち、係止部材３０を締結具本体１０の孔部１３に締結具本体１０の上方から挿入した後、その係止部材３０の下端部の左右両側に下向きに突出されている一対の係合片３２，３２を図３の矢印のように下拡がり状に屈曲させる。このようにすると、係止部材３０の下端部が締結具本体１０の孔部１３を前後方向に横切っている梁部１４（第１係合部１５）に上方から対向し、かつ、一対の係合片３２，３２が締結具本体１０の孔部１２，１２を形成している孔壁の下端によって形成されている第２係合部１６，１６に下方から対向するので、係止部材３０，３０が孔部１２，１２内に前後方向揺動可能に収容された状態に組み付けられる。
【００２５】
【発明の効果】
以上のように、本発明に係る締結具によれば、締結具本体に係止部材を組み付ける作業を容易に行うことのできるようになる。また、本発明によれば、締結バンドの締付け回数が１回だけで済み、２度締めしなくても締付不足を生じることのない締結具を提供することが可能になる。
【図面の簡単な説明】
【図１】本発明の実施形態に係る締結具の平面図である。
【図２】図１のＩＩ−ＩＩ線に沿う概略断面図である。
【図３】図２のＩＩＩ−ＩＩＩ線に沿う部分の概略拡大断面図である。
【図４】係止部材３０の斜視図である。
【図５】使用状態を示した断面図である。
【図６】従来の締結具の構造及び作用を説明するための断面図である。
【符号の説明】
Ａ  前後方向
Ｆ  締結具
１０  締結具本体
１１  仕切り壁
１２  バンド挿通孔
１３  孔部
１４  梁部
１５  第１係合部
１６  第２係合部
１８  当り部
３０  係止部材
３１  係止部材の下端部（被係合部）
３２  係合片（被係合部）
１００  締結バンド
【図１】
0003546181.tif 000002
【図２】
0003546181.tif 000003
【図３】
0003546181.tif 000004
【図４】
0003546181.tif 000005
【図５】
0003546181.tif 000006
【図６】
0003546181.tif 000007